(57)【特許請求の範囲】
【請求項１】
中心軸回りに回転させられる工具本体の先端部に形成された取付座に、着脱可能に装着される切削インサートであって、
板状のインサート本体と、
前記インサート本体に形成された切れ刃部と、を備え、
前記切れ刃部は、
前記インサート本体の前記中心軸方向の先端部に配置され、前記中心軸に直交する径方向に沿うように延びるとともに、前記中心軸方向の先端側へ向けて凸となる円弧形状をなす底切れ刃と、
前記底切れ刃のすくい面と、
前記インサート本体の前記径方向の外端部に配置され、前記中心軸方向に沿うように延びるとともに、前記径方向の外側へ向けて凸となる円弧形状をなす外周切れ刃と、
前記外周切れ刃のすくい面と、
前記底切れ刃の前記径方向の外端と前記外周切れ刃の前記中心軸方向の先端とを繋ぐとともに、先端外周側へ向けて凸となる円弧形状をなすコーナーＲ切れ刃と、
前記コーナーＲ切れ刃のすくい面と、を備え、
前記コーナーＲ切れ刃のすくい面を正面に見て、
前記コーナーＲ切れ刃の円弧中心点を通り、該円弧中心点から前記径方向の内側へ向かうに従い前記中心軸方向の基端側へ向けて延びるとともに、前記中心軸に対して４５°の角度で交差する仮想直線を対称軸として、前記底切れ刃と前記外周切れ刃とが、互いに線対称形状となるように形成されており、
前記底切れ刃の曲率半径及び前記外周切れ刃の曲率半径を前記切れ刃部の回転軌跡の最大径の１／２よりも大きく設定し、
前記コーナーＲ切れ刃の曲率半径を前記切れ刃部の回転軌跡の最大径の１／２よりも小さく設定することを特徴とする切削インサート。
【請求項２】
請求項１に記載の切削インサートであって、
前記インサート本体には、該インサート本体を厚さ方向に貫通するネジ挿通孔が形成されており、
前記ネジ挿通孔の孔中心が、前記仮想直線上に位置していることを特徴とする切削インサート。
【請求項３】
中心軸回りに回転させられる工具本体の先端部に形成された取付座に、着脱可能に装着される切削インサートであって、
板状のインサート本体と、
前記インサート本体に形成された切れ刃部と、を備え、
前記切れ刃部は、
前記インサート本体の前記中心軸方向の先端部に配置され、前記中心軸に直交する径方向に沿うように延びるとともに、前記中心軸方向の先端側へ向けて凸となる円弧形状をなす底切れ刃と、
前記底切れ刃のすくい面と、
前記インサート本体の前記径方向の外端部に配置され、前記中心軸方向に沿うように延びるとともに、前記径方向の外側へ向けて凸となる円弧形状をなす外周切れ刃と、
前記外周切れ刃のすくい面と、
前記底切れ刃の前記径方向の外端と前記外周切れ刃の前記中心軸方向の先端とを繋ぐとともに、先端外周側へ向けて凸となる円弧形状をなすコーナーＲ切れ刃と、
前記コーナーＲ切れ刃のすくい面と、を備え、
前記底切れ刃の曲率半径と、前記外周切れ刃の曲率半径とが、互いに同一であり、
前記底切れ刃の曲率半径及び前記外周切れ刃の曲率半径を前記切れ刃部の回転軌跡の最大径の１／２よりも大きく設定し、
前記コーナーＲ切れ刃の曲率半径を前記切れ刃部の回転軌跡の最大径の１／２よりも小さく設定し、
前記コーナーＲ切れ刃のすくい面を正面に見て、
前記底切れ刃における前記中心軸方向の先端を通り前記径方向に沿って延びる直線を径方向基準線とし、
前記外周切れ刃における前記径方向の外端を通り前記中心軸方向に沿って延びる直線を中心軸方向基準線とし、
前記コーナーＲ切れ刃と前記底切れ刃との境界点における接線を第１の接線とし、
前記コーナーＲ切れ刃と前記外周切れ刃との境界点における接線を第２の接線とし、
前記第１の接線と前記径方向基準線との交点、前記第１の接線と前記中心軸方向基準線との交点、及び、前記径方向基準線と前記中心軸方向基準線との交点を、互いに直線で繋いで形成される直角三角形を第１の直角三角形とし、
前記第２の接線と前記中心軸方向基準線との交点、前記第２の接線と前記径方向基準線との交点、及び、前記径方向基準線と前記中心軸方向基準線との交点を、互いに直線で繋いで形成される直角三角形を第２の直角三角形として、
前記第１の直角三角形と前記第２の直角三角形とが、互いに合同であることを特徴とする切削インサート。
【請求項４】
請求項３に記載の切削インサートであって、
前記インサート本体には、該インサート本体を厚さ方向に貫通するネジ挿通孔が形成されており、
前記ネジ挿通孔の孔中心が、前記径方向基準線と前記中心軸方向基準線との交点と、前記コーナーＲ切れ刃の円弧中心点と、を通る仮想直線上に位置していることを特徴とする切削インサート。
【請求項５】
請求項１〜４のいずれか一項に記載の切削インサートであって、
前記底切れ刃のすくい面、前記外周切れ刃のすくい面、及び、前記コーナーＲ切れ刃のすくい面が、同一平面上に形成されていることを特徴とする切削インサート。
【請求項６】
請求項１〜５のいずれか一項に記載の切削インサートであって、
前記コーナーＲ切れ刃のすくい面を正面に見て、
前記底切れ刃における前記中心軸方向の先端を通り前記径方向に沿って延びる直線を径方向基準線とし、
前記コーナーＲ切れ刃と前記底切れ刃との境界点における接線を第１の接線とし、
前記コーナーＲ切れ刃と前記外周切れ刃との境界点における接線を第２の接線として、
前記第１の接線と前記径方向基準線との間に形成される角度θ１が、１２〜２５°であり、
前記第２の接線と前記径方向基準線との間に形成される角度θ２が、（９０°−θ１）°であることを特徴とする切削インサート。
【請求項７】
請求項１〜６のいずれか一項に記載の切削インサートであって、
前記底切れ刃の曲率半径及び前記外周切れ刃の曲率半径に対して、前記コーナーＲ切れ刃の曲率半径が、３３％以下であることを特徴とする切削インサート。
【請求項８】
請求項１〜７のいずれか一項に記載の切削インサートであって、
前記外周切れ刃のねじれ角が、正の値を有し、
前記コーナーＲ切れ刃と前記外周切れ刃との境界点における前記コーナーＲ切れ刃の軸方向すくい角が、正の値を有し、
前記コーナーＲ切れ刃と前記底切れ刃との境界点における前記コーナーＲ切れ刃の軸方向すくい角が、正の値を有していることを特徴とする切削インサート。
【請求項９】
中心軸回りに回転させられる工具本体と、
前記工具本体の先端部に形成された取付座と、
前記取付座に着脱可能に装着される切削インサートと、を備えた刃先交換式回転切削工具であって、
前記切削インサートとして、請求項１〜８のいずれか一項に記載の切削インサートを用いたことを特徴とする刃先交換式回転切削工具。
【発明の詳細な説明】
【技術分野】
【０００１】
本発明は、被削材に正面削り加工（平面加工）や側面削り加工（立壁面加工）等を施すのに好適な切削インサート、及びこれを装着した刃先交換式回転切削工具に関する。
本願は、２０１６年６月２７日に、日本に出願された特願２０１６−１２６９７５号に基づき優先権を主張し、その内容をここに援用する。
【背景技術】
【０００２】
従来、例えば下記特許文献１、２に示されるようなソリッドタイプのエンドミルが知られている。この種のエンドミルは、中心軸回りに回転させられるシャンクと、シャンクの先端部分に形成された切れ刃部と、備えている。また、切れ刃部のうち、中心軸方向の先端部には、先端側へ向けて凸となる円弧形状をなす底切れ刃が配置され、径方向の外端部には、径方向の外側へ向けて凸となる円弧形状をなす外周切れ刃が配置されている。
そして、被削材に対して、正面削り加工（平面加工）を施す際には、底切れ刃が使用され、側面削り加工（立壁面加工）を施す際には、外周切れ刃が使用される。
【先行技術文献】
【特許文献】
【０００３】
【特許文献１】特表２０１０−５２００６４号公報
【特許文献２】特開２００７−１５２５０２号公報
【発明の概要】
【発明が解決しようとする課題】
【０００４】
しかしながら、上記従来のエンドミルでは、下記の課題を有していた。
被削材に対して、正面削り加工を施すときに、底切れ刃で切削することにより加工面に付与される挽き目（加工目、加工痕）と、側面削り加工を施すときに、外周切れ刃で切削することにより加工面に付与される挽き目とを、互いに同じ性状に仕上げることが難しかった。つまり、被削材の加工部位や形状によって、切削加工後の加工面の性状がばらついて、仕上げ加工や中仕上げ加工等において加工面全体としての加工精度を均等にすることができなかった。【０００５】
本発明は、このような事情に鑑みてなされたものであって、被削材の加工部位や形状に係わらず、加工面の性状が均等となるように切削加工を施すことが可能な切削インサート、及びこれを用いた刃先交換式回転切削工具を提供することを目的としている。
【課題を解決するための手段】
【０００６】
本発明の一態様は、中心軸回りに回転させられる工具本体の先端部に形成された取付座に、着脱可能に装着される切削インサートであって、
板状のインサート本体と、前記インサート本体に形成された切れ刃部と、を備え、
前記切れ刃部は、
前記インサート本体の前記中心軸方向の先端部に配置され、前記中心軸に直交する径方向に沿うように延びるとともに、前記中心軸方向の先端側へ向けて凸となる円弧形状をなす底切れ刃と、
前記底切れ刃のすくい面と、
前記インサート本体の前記径方向の外端部に配置され、前記中心軸方向に沿うように延びるとともに、前記径方向の外側へ向けて凸となる円弧形状をなす外周切れ刃と、
前記外周切れ刃のすくい面と、
前記底切れ刃の前記径方向の外端と前記外周切れ刃の前記中心軸方向の先端とを繋ぐとともに、先端外周側へ向けて凸となる円弧形状をなすコーナーＲ切れ刃と、
前記コーナーＲ切れ刃のすくい面と、を備え、
前記コーナーＲ切れ刃のすくい面を正面に見て、
前記コーナーＲ切れ刃の円弧中心点を通り、該円弧中心点から前記径方向の内側へ向かうに従い前記中心軸方向の基端側へ向けて延びるとともに、前記中心軸に対して４５°の角度で交差する仮想直線を対称軸として、前記底切れ刃と前記外周切れ刃とが、互いに線対称形状となるように形成されており、
前記底切れ刃の曲率半径及び前記外周切れ刃の曲率半径を前記切れ刃部の回転軌跡の最大径の１／２よりも大きく設定し、
前記コーナーＲ切れ刃の曲率半径を前記切れ刃部の回転軌跡の最大径の１／２よりも小さく設定することを特徴とする。
また、本発明の一態様は、中心軸回りに回転させられる工具本体の先端部に形成された取付座に、着脱可能に装着される切削インサートであって、
板状のインサート本体と、
前記インサート本体に形成された切れ刃部と、を備え、
前記切れ刃部は、
前記インサート本体の前記中心軸方向の先端部に配置され、前記中心軸に直交する径方向に沿うように延びるとともに、前記中心軸方向の先端側へ向けて凸となる円弧形状をなす底切れ刃と、
前記底切れ刃のすくい面と、
前記インサート本体の前記径方向の外端部に配置され、前記中心軸方向に沿うように延びるとともに、前記径方向の外側へ向けて凸となる円弧形状をなす外周切れ刃と、
前記外周切れ刃のすくい面と、
前記底切れ刃の前記径方向の外端と前記外周切れ刃の前記中心軸方向の先端とを繋ぐとともに、先端外周側へ向けて凸となる円弧形状をなすコーナーＲ切れ刃と、
前記コーナーＲ切れ刃のすくい面と、を備え、
前記底切れ刃の曲率半径と、前記外周切れ刃の曲率半径とが、互いに同一であり、
前記底切れ刃の曲率半径及び前記外周切れ刃の曲率半径を前記切れ刃部の回転軌跡の最大径の１／２よりも大きく設定し、
前記コーナーＲ切れ刃の曲率半径を前記切れ刃部の回転軌跡の最大径の１／２よりも小さく設定し、
前記コーナーＲ切れ刃のすくい面を正面に見て、
前記底切れ刃における前記中心軸方向の先端を通り前記径方向に沿って延びる直線を径方向基準線とし、
前記外周切れ刃における前記径方向の外端を通り前記中心軸方向に沿って延びる直線を中心軸方向基準線とし、
前記コーナーＲ切れ刃と前記底切れ刃との境界点における接線を第１の接線とし、
前記コーナーＲ切れ刃と前記外周切れ刃との境界点における接線を第２の接線とし、
前記第１の接線と前記径方向基準線との交点、前記第１の接線と前記中心軸方向基準線との交点、及び、前記径方向基準線と前記中心軸方向基準線との交点を、互いに直線で繋いで形成される直角三角形を第１の直角三角形とし、
前記第２の接線と前記中心軸方向基準線との交点、前記第２の接線と前記径方向基準線との交点、及び、前記径方向基準線と前記中心軸方向基準線との交点を、互いに直線で繋いで形成される直角三角形を第２の直角三角形として、
前記第１の直角三角形と前記第２の直角三角形とが、互いに合同であることを特徴とする。
また、本発明の一態様は、中心軸回りに回転させられる工具本体と、前記工具本体の先端部に形成された取付座と、前記取付座に着脱可能に装着される切削インサートと、を備えた刃先交換式回転切削工具であって、前記切削インサートとして、上述の切削インサートを用いたことを特徴とする。【０００７】
また、上記切削インサートにおいて、前記インサート本体には、該インサート本体を厚さ方向に貫通するネジ挿通孔が形成されており、前記ネジ挿通孔の孔中心が、前記仮想直線上に位置していることが好ましい。
また、上記切削インサートにおいて、前記インサート本体には、該インサート本体を厚さ方向に貫通するネジ挿通孔が形成されており、前記ネジ挿通孔の孔中心が、前記径方向基準線と前記中心軸方向基準線との交点と、前記コーナーＲ切れ刃の円弧中心点と、を通る仮想直線上に位置していることが好ましい。【０００８】
また、上記切削インサートにおいて、前記底切れ刃のすくい面、前記外周切れ刃のすくい面、及び、前記コーナーＲ切れ刃のすくい面が、同一平面上に形成されていることが好ましい。【０００９】
また、上記切削インサートにおいて、
前記コーナーＲ切れ刃のすくい面を正面に見て、
前記底切れ刃における前記中心軸方向の先端を通り前記径方向に沿って延びる直線を径方向基準線とし、前記コーナーＲ切れ刃と前記底切れ刃との境界点における接線を第１の接線とし、前記コーナーＲ切れ刃と前記外周切れ刃との境界点における接線を第２の接線として、
前記第１の接線と前記径方向基準線との間に形成される角度θ１が、１２〜２５°であり、
前記第２の接線と前記径方向基準線との間に形成される角度θ２が、（９０°−θ１）°であることが好ましい。【００１０】
また、上記切削インサートにおいて、前記底切れ刃の曲率半径及び前記外周切れ刃の曲率半径に対して、前記コーナーＲ切れ刃の曲率半径が、３３％以下であることが好ましい。【００１１】
また、上記切削インサートにおいて、
前記外周切れ刃のねじれ角が、正の値を有し、
前記コーナーＲ切れ刃と前記外周切れ刃との境界点における前記コーナーＲ切れ刃の軸方向すくい角が、正の値を有し、
前記コーナーＲ切れ刃と前記底切れ刃との境界点における前記コーナーＲ切れ刃の軸方向すくい角が、正の値を有していることが好ましい。
【発明の効果】
【００１２】
本発明の切削インサート及び刃先交換式回転切削工具によれば、被削材の加工部位や形状に係わらず、加工面の性状が均等となるように切削加工を施すことが可能である。このため、仕上げ加工や中仕上げ加工等において、加工面全体にわたって良好な加工面精度を得ることができる。
【図面の簡単な説明】
【００１３】
【図１】本発明の一実施形態に係る刃先交換式回転切削工具を示す斜視図である。
【図２】刃先交換式回転切削工具の平面図である。
【図３】刃先交換式回転切削工具の側面図である。
【図４】刃先交換式回転切削工具の正面図である。
【図５】刃先交換式回転切削工具に装着される切削インサートを示す斜視図である。
【図６】切削インサートを示す（ａ）平面図、（ｂ）側面図、（ｃ）正面図である。
【図７】切削インサートの切れ刃部を拡大して示す（ａ）平面図、（ｂ）側面図、（ｃ）正面図である。
【図８】コーナーＲ切れ刃のすくい面を正面に見た、本発明の一実施形態に係る切削インサートの平面図である。
【図９】コーナーＲ切れ刃のすくい面を正面に見た、参考例の切削インサートの平面図である。
【図１０】コーナーＲ切れ刃のすくい面を正面に見た、参考例の切削インサートの平面図である。
【図１１】（ａ）本発明の切削インサート（刃先交換式回転切削工具）で切削した加工面のピックフィードのピッチ及びカスプハイトを示す図、（ｂ）従来の切削工具で切削した加工面のピックフィードのピッチ及びカスプハイトを示す図である。
【図１２】本発明の一実施形態に係る切削インサートの変形例を示す（ａ）平面図、（ｂ）側面図、（ｃ）正面図である。
【発明を実施するための形態】
【００１４】
以下、本発明の一実施形態に係る切削インサート５及びこれを備えた刃先交換式回転切削工具６について、図面を参照して説明する。
本実施形態の切削インサート５は、いわゆるレンズと呼ばれる凸円弧形状の底切れ刃１１と、いわゆるバレルと呼ばれる凸円弧形状の外周切れ刃９と、底切れ刃１１と外周切れ刃９とを接続する凸円弧形状のコーナーＲ切れ刃１３と、から構成される複合Ｒ切れ刃を備えた複合Ｒインサートである。そして、この切削インサート５を備えた刃先交換式回転切削工具６は、被削材に対して正面削り加工（平面加工）や側面削り加工（立壁面加工）を含む種々の切削加工を施すのに適しており、特に、加工面の仕上げ加工や中仕上げ加工等において、優れた面精度を得ることができるものである。
【００１５】
図１〜図４に示されるように、刃先交換式回転切削工具６は、中心軸Ｃ回りに回転させられる略円柱状の工具本体１と、工具本体１の中心軸Ｃ方向の先端部２に形成された取付座３と、取付座３に着脱可能に装着され、切れ刃部４を有する切削インサート５と、を備えている。
【００１６】
本実施形態の刃先交換式回転切削工具６は、鋼材等で形成された工具本体１と、工具本体１よりも硬質の超硬合金等で形成された切削インサート５と、を備えている。工具本体１の先端部２に形成された取付座（インサート取付座）３には、板状をなす切削インサート５がそのインサート中心軸を工具の中心軸Ｃに一致させた状態で、取り外し可能に装着される。取付座３に取り付けられた切削インサート５は、その切れ刃部４が、工具本体１の先端側及び径方向外側に突出して配置される。
【００１７】
刃先交換式回転切削工具６は、工具本体１の基端部（シャンク部）が、工作機械の主軸（不図示）に取り付けられ、主軸が回転駆動させられるのにともなって、中心軸Ｃ回りの工具回転方向Ｒに回転させられる。そして、主軸とともに工具本体１が、中心軸Ｃに交差する方向や中心軸Ｃ方向に送られることで、金属材料等からなる被削材に対して切削インサート５の切れ刃部４で切り込んでいき、転削加工（ミーリング加工）を施す。なお、本実施形態の刃先交換式回転切削工具６は、例えば４〜６軸の多軸制御のマシニングセンタ等の工作機械に用いることがより好ましい。
【００１８】
本実施形態においては、工具本体１の中心軸Ｃが延在する方向、つまり中心軸Ｃに沿う方向を、中心軸Ｃ方向という。また、中心軸Ｃ方向のうち、工具本体１のシャンク部から取付座３へ向かう方向（図２及び図３における下方）を先端側といい、取付座３からシャンク部へ向かう方向（図２及び図３における上方）を基端側という。
【００１９】
また、中心軸Ｃに直交する方向を径方向という。径方向のうち、中心軸Ｃに接近する方向を径方向の内側といい、中心軸Ｃから離間する方向を径方向の外側という。
また、中心軸Ｃ回りに周回する方向を周方向という。周方向のうち、切削時に主軸の回転により工具本体１が回転させられる向きを工具回転方向Ｒといい、これとは反対の回転方向を、工具回転方向Ｒとは反対側（つまり反工具回転方向）という。
【００２０】
なお、上記した向き（方向）の定義は、刃先交換式回転切削工具６の中心軸Ｃに対してインサート中心軸が一致させられる（同軸に配置される）切削インサート５においても、同様に適用される。従って、切削インサート５を示す図６〜図１０及び図１２においては、インサート中心軸を、中心軸Ｃと同じ符号Ｃを用いて表す。
【００２１】
図１〜図４において、取付座３は、工具本体１の先端部２に、工具の中心軸Ｃを含んで径方向に延びて形成されたスリット状のインサート嵌合溝７と、インサート嵌合溝７に挿入された切削インサート５を固定するための固定用ネジ８と、を備えている。
【００２２】
インサート嵌合溝７は、工具本体１の先端面に開口し、工具本体１の径方向に延びて工具本体１の外周面にも開口している。インサート嵌合溝７は、工具本体１の先端面から基端側へ向かって所定の長さ（深さ）に形成されたスリット状をなしている。
【００２３】
工具本体１の先端部２にスリット状のインサート嵌合溝７を形成したことにより、工具本体１の先端部２は２つに分割されて、一対の先端半体部（半割り片）が形成されている。また、先端部２には、先端半体部の一方の表面部から、インサート嵌合溝７と交差して他方の先端半体部内に達するように、インサート固定用ネジ孔が形成されている。インサート固定用ネジ孔のネジ孔中心軸は、先端部２において径方向に延びており、具体的には径方向のうち、インサート嵌合溝７が工具本体１の径方向に延びる向きに対して、直交する向きに延びている。
【００２４】
インサート固定用ネジ孔のうち、一方の先端半体部に形成された孔部分の内径は、他方の先端半体部に形成された孔部分の内径よりも大きくされている。また、他方の先端半体部に形成された孔部分の内周面には、固定用ネジ８の雄ネジ部と螺合する雌ネジ部が形成されている。インサート固定用ネジ孔のうち、少なくとも一方の先端半体部に形成された孔部分は、貫通孔となっている。本実施形態の例では、一方の先端半体部及び他方の先端半体部の各孔部分が、それぞれ貫通孔とされている。
【００２５】
図５〜図８に示されるように、切削インサート５は、板状のインサート本体１５と、インサート本体１５に形成された切れ刃部４と、インサート本体１５に形成され、該インサート本体１５を厚さ方向に貫通するネジ挿通孔１８と、を備えている。
本実施形態の切削インサート５は、中心軸Ｃを対称軸として表裏反転対称（１８０°回転対称）に形成されている。
【００２６】
インサート本体１５は、略平板形状をなしている。インサート本体１５の厚さ方向を向く表裏面は、一対の平面部１６、１７とされている。ネジ挿通孔１８は、インサート本体１５を厚さ方向に貫通するとともに、一方の平面部１６と他方の平面部１７とに開口して形成された貫通孔である。ネジ挿通孔１８には、切削インサート５を取付座３に装着し固定する際に、固定用ネジ８が挿通される。インサート本体１５におけるネジ挿通孔１８の配置については、別途後述する。
【００２７】
切れ刃部４は、インサート本体１５における中心軸Ｃ方向の先端部及び径方向の外端部に配置されている。切れ刃部４は、工具回転方向Ｒを向くすくい面と、すくい面に交差して先端側及び径方向外側の少なくともいずれかを向く逃げ面と、すくい面と逃げ面との交差稜線に形成される切れ刃と、を備えている。
前記切れ刃には、外周切れ刃９と、底切れ刃１１と、コーナーＲ切れ刃１３と、が含まれる。前記切れ刃は、外周切れ刃９、底切れ刃１１及びコーナーＲ切れ刃１３を備えたことにより、全体として略Ｌ字状をなしている。また、各切れ刃（９、１１、１３）に対して、すくい面及び逃げ面がそれぞれ隣接配置される。
【００２８】
本実施形態の切削インサート５は、２枚刃の切削インサートであり、外周切れ刃９、底切れ刃１１及びコーナーＲ切れ刃１３を備えた前記切れ刃の組を、中心軸Ｃを中心として、１８０°回転対称に２組有している。
【００２９】
図７（ａ）に示されるように、底切れ刃１１は、インサート本体１５の中心軸Ｃ方向の先端部に配置され、径方向に沿うように延びるとともに、中心軸Ｃ方向の先端側へ向けて凸となる円弧形状をなしている。
底切れ刃１１は、そのコーナーＲ切れ刃１３に接続する径方向外端から径方向の内側へ向かうに従い、中心軸Ｃ方向の先端側へ向けて傾斜して延びている。底切れ刃１１における、径方向に沿う単位長さあたりの中心軸Ｃ方向へ向けた変位量（つまり径方向に対する傾き）は、該底切れ刃１１の径方向外端から径方向内側へ向かうに従い漸次小さくされていき、径方向内端においてゼロとなる。
【００３０】
切れ刃部４の切れ刃全長のうち、底切れ刃１１の径方向内端は、中心軸Ｃ方向の最先端に位置している。本実施形態では、底切れ刃１１の径方向内端が、中心軸Ｃ上に配置されている。底切れ刃１１の径方向内端（中心軸Ｃ方向の最先端）における接線（後述する径方向基準線）ＲＲは、中心軸Ｃに垂直な平面（水平面）に対して平行に延びる。
【００３１】
切削インサート５を工具本体１の取付座３（インサート嵌合溝７）に装着して、刃先交換式回転切削工具６を中心軸Ｃ回りに回転させると、底切れ刃１１の回転軌跡は、先端側へ向けて膨出する凸レンズ形状をなす。
【００３２】
本実施形態の例では、図７（ｂ）に示されるように、底切れ刃１１の軸方向すくい角（アキシャルレーキ）が、０°である。ただしこれに限定されるものではなく、底切れ刃１１の軸方向すくい角は、正の値（ポジティブ角）や負の値（ネガティブ角）であってもよい。また、図６（ｃ）及び図７（ｃ）に示されるように、底切れ刃１１の径方向すくい角は、０°とされている。
【００３３】
図７（ａ）に示されるように、底切れ刃１１の径方向外端と、コーナーＲ切れ刃１３の径方向内端とは、境界点Ａにおいて共通の接線（後述する第１の接線）Ｌ１を有して互いになだらかに接続している。つまり、境界点Ａから径方向内側へ向かう切れ刃部分が底切れ刃１１であり、境界点Ａから径方向外側へ向かう切れ刃部分がコーナーＲ切れ刃１３である。
【００３４】
切れ刃部４の工具回転方向Ｒを向くすくい面のうち、底切れ刃１１の中心軸Ｃ方向の基端側に隣接する部分に、底切れ刃１１のすくい面１２が形成されている。本実施形態の例では、底切れ刃１１のすくい面１２が平面状をなしている。
また、インサート本体１５において中心軸Ｃ方向の先端側を向く先端面のうち、底切れ刃１１の工具回転方向Ｒとは反対側に隣接する部分に、底切れ刃１１の逃げ面が形成されている。底切れ刃１１の逃げ面は、先端側へ向けて凸となる曲面状をなしている。底切れ刃１１の逃げ面は、該底切れ刃１１から工具回転方向Ｒとは反対側へ向かうに従い中心軸Ｃ方向の基端側へ向けて傾斜しており、これにより底切れ刃１１には逃げ角が付与されている。
【００３５】
図７（ａ）に示されるように、外周切れ刃９は、インサート本体１５の径方向の外端部に配置され、中心軸Ｃ方向に沿うように延びるとともに、径方向の外側へ向けて凸となる円弧形状をなしている。
外周切れ刃９は、そのコーナーＲ切れ刃１３に接続する中心軸Ｃ方向の先端から基端側へ向かうに従い、径方向外側へ向けて傾斜して延びている。外周切れ刃９における、中心軸Ｃ方向に沿う単位長さあたりの径方向へ向けた変位量（つまり中心軸Ｃ方向に対する傾き）は、該外周切れ刃９の中心軸Ｃ方向の先端から基端側へ向かうに従い漸次小さくされていき、中心軸Ｃ方向の基端においてゼロとなる。
【００３６】
切れ刃部４の切れ刃全長のうち、外周切れ刃９の中心軸Ｃ方向の基端は、径方向の最外端に位置している。外周切れ刃９の中心軸Ｃ方向の基端（径方向の最外端）における接線（後述する中心軸方向基準線）ＣＲは、中心軸Ｃに平行な平面（鉛直面）に対して平行に延びる。
【００３７】
切削インサート５を工具本体１の取付座３に装着して、刃先交換式回転切削工具６を中心軸Ｃ回りに回転させると、外周切れ刃９の回転軌跡は、径方向外側へ向けて膨出するバレル形状（樽形状）をなす。
【００３８】
本実施形態の例では、図７（ｂ）に示されるように、外周切れ刃９のねじれ角（軸方向すくい角に相当）が、０°である。ただしこれに限定されるものではなく、外周切れ刃９のねじれ角は、正の値や負の値であってもよい。また、外周切れ刃９の径方向すくい角（中心方向すくい角。ラジアルレーキ）は、０°とされている。ただしこれに限定されるものではなく、外周切れ刃９の径方向すくい角は、正の値や負の値であってもよい。
【００３９】
図７（ａ）に示されるように、外周切れ刃９の中心軸Ｃ方向の先端と、コーナーＲ切れ刃１３の中心軸Ｃ方向の基端とは、境界点Ｂにおいて共通の接線（後述する第２の接線）Ｌ２を有して互いになだらかに接続している。つまり、境界点Ｂから中心軸Ｃ方向の基端側へ向かう切れ刃部分が外周切れ刃９であり、境界点Ｂから中心軸Ｃ方向の先端側へ向かう切れ刃部分がコーナーＲ切れ刃１３である。
【００４０】
切れ刃部４の工具回転方向Ｒを向くすくい面のうち、外周切れ刃９の径方向内側に隣接する部分に、外周切れ刃９のすくい面１０が形成されている。本実施形態の例では、外周切れ刃９のすくい面１０が平面状をなしている。
また、インサート本体１５において径方向外側を向く外周面のうち、外周切れ刃９の工具回転方向Ｒとは反対側に隣接する部分に、外周切れ刃９の逃げ面が形成されている。外周切れ刃９の逃げ面は、径方向外側へ向けて凸となる曲面状をなしている。外周切れ刃９の逃げ面は、該外周切れ刃９から工具回転方向Ｒとは反対側へ向かうに従い径方向内側へ向けて傾斜しており、これにより外周切れ刃９には逃げ角が付与されている。
【００４１】
図７（ａ）に示されるように、コーナーＲ切れ刃１３は、底切れ刃１１の径方向の外端と外周切れ刃９の中心軸Ｃ方向の先端とを繋ぐとともに、先端外周側へ向けて凸となる円弧形状をなしている。
コーナーＲ切れ刃１３は、その底切れ刃１１に接続する径方向内端から径方向の外側へ向かうに従い、中心軸Ｃ方向の基端側へ向けて傾斜して延びている。コーナーＲ切れ刃１３における、径方向に沿う単位長さあたりの中心軸Ｃ方向へ向けた変位量（つまり径方向に対する傾き）は、該コーナーＲ切れ刃１３の径方向内端から径方向外側へ向かうに従い漸次大きくされている。
またコーナーＲ切れ刃１３は、その外周切れ刃９に接続する中心軸Ｃ方向の基端から先端側へ向かうに従い、径方向内側へ向けて傾斜して延びている。コーナーＲ切れ刃１３における、中心軸Ｃ方向に沿う単位長さあたりの径方向へ向けた変位量（つまり中心軸Ｃ方向に対する傾き）は、該コーナーＲ切れ刃１３の中心軸Ｃ方向の基端から先端側へ向かうに従い漸次大きくされている。
【００４２】
切削インサート５を工具本体１の取付座３に装着して、刃先交換式回転切削工具６を中心軸Ｃ回りに回転させると、コーナーＲ切れ刃１３の回転軌跡は、中心軸Ｃ方向の先端側へ向かうに従い漸次縮径する筒状に形成され、その縦断面（中心軸Ｃを含む断面）が円弧形状（例えば中心角（円弧中心角）が略６０〜８５°程度の円弧形状）をなす。
【００４３】
本実施形態の例では、図７（ｂ）に示されるように、コーナーＲ切れ刃１３と底切れ刃１１との境界点ＡにおけるコーナーＲ切れ刃１３の軸方向すくい角が、０°である。また、コーナーＲ切れ刃１３と外周切れ刃９との境界点ＢにおけるコーナーＲ切れ刃１３の軸方向すくい角が、０°である。ただしこれに限定されるものではなく、境界点Ａ、ＢにおけるコーナーＲ切れ刃１３の軸方向すくい角は、正の値や負の値であってもよい。
コーナーＲ切れ刃１３の径方向すくい角は、０°とされている。ただしこれに限定されるものではなく、コーナーＲ切れ刃１３の径方向すくい角は、正の値や負の値であってもよい。
【００４４】
切れ刃部４の工具回転方向Ｒを向くすくい面のうち、コーナーＲ切れ刃１３の径方向内側に隣接する部分に、コーナーＲ切れ刃１３のすくい面１４が形成されている。本実施形態の例では、コーナーＲ切れ刃１３のすくい面１４が平面状をなしている。
また、インサート本体１５の外面のうち、コーナーＲ切れ刃１３の工具回転方向Ｒとは反対側に隣接する部分に、コーナーＲ切れ刃１３の逃げ面が形成されている。コーナーＲ切れ刃１３の逃げ面は、インサート本体１５の先端外周側へ向けて凸となる曲面状をなしており、中心軸Ｃ方向の先端側かつ径方向外側を向いて形成されている。コーナーＲ切れ刃１３の逃げ面は、該コーナーＲ切れ刃１３から工具回転方向Ｒとは反対側へ向かうに従い中心軸Ｃ方向の基端側かつ径方向内側へ向かうように傾斜しており、これによりコーナーＲ切れ刃１３には逃げ角が付与されている。
【００４５】
切れ刃部４において、底切れ刃１１の曲率半径と、外周切れ刃９の曲率半径とは、互いに同一である。本実施形態の例では、底切れ刃１１の曲率半径及び外周切れ刃９の曲率半径が、外周切れ刃９を中心軸Ｃ回りに回転させて得られる回転軌跡の外径（切れ刃部４の最大直径）に等しい。
また、底切れ刃１１の曲率半径及び外周切れ刃９の曲率半径に対して、コーナーＲ切れ刃１３の曲率半径は小さい。本実施形態の例では、底切れ刃１１の曲率半径及び外周切れ刃９の曲率半径に対して、コーナーＲ切れ刃１３の曲率半径が、３３％以下である。
【００４６】
また本実施形態では、底切れ刃１１のすくい面１２、外周切れ刃９のすくい面１０、及び、コーナーＲ切れ刃１３のすくい面１４が、同一平面上に形成されている。つまり、切れ刃部４の切れ刃のすくい面全体が、１つの平面により形成されている。
【００４７】
そして、図７（ａ）及び図８に示されるように、コーナーＲ切れ刃１３のすくい面１４を正面に見て、コーナーＲ切れ刃１３の円弧中心点Ｏを通り、該円弧中心点Ｏから径方向の内側へ向かうに従い中心軸Ｃ方向の基端側へ向けて延びるとともに、中心軸Ｃに対して４５°の角度αで交差する仮想直線ＶＬを対称軸として、底切れ刃１１と外周切れ刃９とが、互いに線対称形状となるように形成されている。
具体的に本実施形態では、コーナーＲ切れ刃１３のすくい面１４を正面に見て、切れ刃部４の切れ刃の刃長全体が、仮想直線ＶＬを対称軸として線対称形状に形成されている。
【００４８】
なお、本実施形態の例では、底切れ刃１１のすくい面１２、外周切れ刃９のすくい面１０及びコーナーＲ切れ刃１３のすくい面１４が、互いに同一平面上に形成されていることから、上記「コーナーＲ切れ刃１３のすくい面１４を正面に見て」は、底切れ刃１１のすくい面１２を正面に見て、及び、外周切れ刃９のすくい面１０を正面に見て、と同義である。
また、上記角度αは、仮想直線ＶＬと中心軸Ｃとが交差して形成される鋭角及び鈍角のうち、鋭角の角度を指している。
【００４９】
また、図７（ａ）及び図８に示されるように、コーナーＲ切れ刃１３のすくい面１４を正面に見て、底切れ刃１１における中心軸Ｃ方向の先端を通り径方向に沿って延びる直線を径方向基準線ＲＲとし、外周切れ刃９における径方向の外端を通り中心軸Ｃ方向に沿って延びる直線を中心軸方向基準線ＣＲとし、コーナーＲ切れ刃１３と底切れ刃１１との境界点Ａにおける接線を第１の接線Ｌ１とし、コーナーＲ切れ刃１３と外周切れ刃９との境界点Ｂにおける接線を第２の接線Ｌ２とし、第１の接線Ｌ１と径方向基準線ＲＲとの交点Ｄ、第１の接線Ｌ１と中心軸方向基準線ＣＲとの交点Ｅ、及び、径方向基準線ＲＲと中心軸方向基準線ＣＲとの交点Ｆを、互いに直線で繋いで形成される直角三角形（△ＤＥＦ）を第１の直角三角形Ｔ１とし、第２の接線Ｌ２と中心軸方向基準線ＣＲとの交点Ｇ、第２の接線Ｌ２と径方向基準線ＲＲとの交点Ｈ、及び、径方向基準線ＲＲと中心軸方向基準線ＣＲとの交点Ｆを、互いに直線で繋いで形成される直角三角形（△ＧＨＦ）を第２の直角三角形Ｔ２として、第１の直角三角形Ｔ１と第２の直角三角形Ｔ２とが、互いに合同である。
【００５０】
また、図７（ａ）及び図８に示されるコーナーＲ切れ刃１３のすくい面１４の正面視において、径方向基準線ＲＲと中心軸方向基準線ＣＲとの交点Ｆと、コーナーＲ切れ刃１３の円弧中心点Ｏと、を通る仮想直線は、上記仮想直線ＶＬと一致する。
そして、ネジ挿通孔１８の孔中心は、仮想直線ＶＬ上に位置している。具体的に、すくい面１４の正面視においてネジ挿通孔１８の孔中心は、仮想直線ＶＬと中心軸Ｃとの交点Ｉ上に配置されている。
【００５１】
また、コーナーＲ切れ刃１３のすくい面１４を正面に見て、第１の接線Ｌ１と径方向基準線ＲＲとの間に形成される角度θ１が、１２〜２５°であり、第２の接線Ｌ２と径方向基準線ＲＲとの間に形成される角度θ２が、（９０°−θ１）°である。また、より好ましくは、角度θ１は１５〜２２°である。
なお、上記角度θ１は、第１の接線Ｌ１と径方向基準線ＲＲとが交差して形成される鋭角及び鈍角のうち、鋭角の角度を指している。また、上記角度θ２は、第２の接線Ｌ２と径方向基準線ＲＲとが交差して形成される鋭角及び鈍角のうち、鋭角の角度を指している。
【００５２】
以上説明した本実施形態の切削インサート５及び刃先交換式回転切削工具６によれば、コーナーＲ切れ刃１３のすくい面１４を正面に見て、コーナーＲ切れ刃１３の円弧中心点（円弧の中心）Ｏを通り中心軸Ｃに対して４５°の角度αで交差する仮想直線ＶＬを対称軸として、底切れ刃１１と外周切れ刃９とが、線対称形状に形成されている。
或いは、コーナーＲ切れ刃１３のすくい面１４を正面に見て、底切れ刃１１の曲率半径と外周切れ刃９の曲率半径とが互いに同一であり、かつ、コーナーＲ切れ刃１３と底切れ刃１１とを接続する境界点Ａの接線（第１の接線）Ｌ１を斜辺とする第１の直角三角形Ｔ１（△ＤＥＦ）と、コーナーＲ切れ刃１３と外周切れ刃９とを接続する境界点Ｂの接線（第２の接線）Ｌ２を斜辺とする第２の直角三角形Ｔ２（△ＧＨＦ）とが、互いに合同である。
【００５３】
従って、例えば、被削材に正面削り加工（平面加工）を施すときに、底切れ刃１１で切削することにより被削材の加工面に付与される挽き目（加工目、加工痕）と、被削材に側面削り加工（立壁面加工）を施すときに、外周切れ刃９で切削することにより被削材の加工面に付与される挽き目とが、互いに同じ性状となる。
すなわち本実施形態では、底切れ刃１１の曲率半径と外周切れ刃９の曲率半径とが、互いに同一であり、かつ、底切れ刃１１と外周切れ刃９とが互いに線対称に形成されている。従って、被削材の加工面のうち、平面部のカスプハイトと立壁部のカスプハイトとを同等にするにあたって、いずれも同一のピックフィード（ピッチ）で加工することができ、平面部と立壁部の挽き目を互いに揃えることができる。このため、被削材全体にわたって同じ品質とされた加工面を得ることができる。
つまり、底切れ刃１１と外周切れ刃９のいずれを使用した切削加工の場合においても、被削材の加工面の性状を一定に揃えることができるのである。
【００５４】
ここで、ピッチ及びカスプハイトが示された図１１（ａ）を参照する。図１１（ａ）は、被削材Ｗの加工面の断面を拡大して示す図であり、図中において符号Ｐが、被削材Ｗの加工面に付与された加工痕のピッチ（ピックフィードのピッチに相当）を表しており、符号ＣＨが、加工痕のカスプハイトを表している。本実施形態によれば、被削材Ｗの加工部位や形状に係わらず、ピックフィードのピッチ（幅）Ｐやカスプハイト（深さ）ＣＨを一定に揃えることができる。
【００５５】
また、上述のように被削材の加工面の性状を一定に揃えることができるので、加工面の面粗さや光沢等を、加工面全体に均等にすることができる。つまり、加工面全体としての表面性能や見栄えを均一化できる。これにより、仕上げ加工や中仕上げ加工において、加工の高精度化に有利な効果を得ることができる。
【００５６】
また、正面削り加工（平面加工）において底切れ刃１１で切削可能な加工面の傾斜角度の範囲と、側面削り加工（立壁面加工）において外周切れ刃９で切削可能な加工面の傾斜角度の範囲とが、互いに同一となるため、被削材の加工面の性状を一定に揃えつつ、より多くの加工形状に対応することができる。
【００５７】
なお、本実施形態の切削インサート５及び刃先交換式回転切削工具６を多軸制御のマシニングセンタ等の工作機械に用いた場合には、本実施形態による作用効果がより格別顕著なものとなる。上記多軸制御とは、例えば４〜６軸の制御を指す。多軸制御であることで、互いに傾斜が異なる複数の加工面同士を、より均等な性状に加工しやすくなる。この場合、例えばタービンブレードのような複雑な３次元曲面を有する被削材であっても、高精度に安定して切削加工を施すことができる。
【００５８】
ここで、図８〜図１０を参照して、本実施形態についてより詳しく説明する。図８は、本実施形態の切削インサート５を表しており、図９及び図１０は、本実施形態とは技術思想が異なる参考例の切削インサート２０、３０を表している。図８〜図１０はそれぞれ、コーナーＲ切れ刃１３のすくい面１４を正面に見た切削インサート５、２０、３０の平面図である。図８〜図１０に示される３つの切削インサート５、２０、３０は、すべて、底切れ刃１１の曲率半径と外周切れ刃９の曲率半径とが、互いに同一である。
【００５９】
そして図８に示される本実施形態の切削インサート５では、中心軸Ｃに対して４５°の角度αで交差する仮想直線ＶＬを対称軸として、底切れ刃１１と外周切れ刃９とが、互いに線対称形状となるように形成されている。また、図８に示される本実施形態の切削インサート５では、第１の直角三角形Ｔ１（△ＤＥＦ）と第２の直角三角形Ｔ２（△ＧＨＦ）とが、互いに合同である。これにより、上述した優れた作用効果を奏する。
【００６０】
一方、図９及び図１０に示される参考例の切削インサート２０、３０では、底切れ刃１１の曲率半径と外周切れ刃９の曲率半径とが互いに同一ではあるが、コーナーＲ切れ刃１３の円弧中心点を通過し、中心軸Ｃに対して４５°の角度で交差する仮想直線ＶＬに関して底切れ刃１１と外周切れ刃９とが線対称形状に形成されていない。また、図９及び図１０に示される参考例の切削インサート２０、３０では、第１の直角三角形Ｔ１（△ＤＥＦ）と第２の直角三角形Ｔ２（△ＧＨＦ）とが、互いに合同ではない。ここで、辺ＧＦは外周切れ刃９における径方向の外端を通り中心軸Ｃ方向に沿って延びる直線であり、辺ＤＦは、底切れ刃１１における中心軸Ｃ方向の先端を通り径方向に沿って延びる直線であり、辺ＧＨはコーナーＲ切れ刃１３と外周切れ刃９との境界点における接線であり、辺ＤＥはコーナーＲ切れ刃１３と底切れ刃１１との境界点における接線である。
従って、図９及び図１０に示される参考例の切削インサート２０、３０では、被削材に正面削り加工（平面加工）を施して加工面に付与される挽き目と、被削材に側面削り加工（立壁面加工）を施して加工面に付与される挽き目とを、互いに同一の性状とすることが難しい場合がある。つまり、単に底切れ刃１１の曲率半径と外周切れ刃９の曲率半径とを同一に設定しても、上述した本実施形態のような優れた作用効果が得られるとは限らない。
【００６１】
また本実施形態によれば、従来のボールエンドミルやラジアスエンドミル等の切削工具に比べて、加工時間を短縮することができる。
具体的に、従来のボールエンドミルタイプの切削工具では、切れ刃部の中心軸回りの回転軌跡が半球状をなし、この回転軌跡の半径は工具直径（切れ刃部の回転軌跡の最大直径）の１／２である。そして、ボールエンドミルタイプの切削工具においては、底切れ刃に対応する切れ刃部分の曲率半径、及び、外周切れ刃に対応する切れ刃部分の曲率半径が、ともに工具直径の１／２となる。つまりボールエンドミルタイプの切削工具では、工具半径（工具直径の１／２）に応じて、所定のカスプハイト値以下となるようにピックフィードを設定し、切削加工を行うこととなる。また、ラジアスエンドミルタイプの切削工具の場合は、傾斜した加工面などを切削加工する際にコーナーＲ切れ刃が使用されるが、該コーナーＲ切れ刃の曲率半径は、一般にボールエンドミルの切れ刃の曲率半径よりも小さい（工具直径が同一の場合）ことから、ピックフィードはボールエンドミルよりもさらに小さくなる。
【００６２】
これに対して本実施形態では、底切れ刃１１の曲率半径及び外周切れ刃９の曲率半径を、工具直径の１／２よりもそれぞれ大きく設定することができる。このため、従来のボールエンドミルで加工した加工面の挽き目のカスプハイトと同等のカスプハイトを得るにあたって（つまり所定のカスプハイト値以下とするにあたって）、本実施形態によればピックフィード（ピッチ）を大きく設定することができる。
なお本実施形態では、底切れ刃１１の曲率半径及び外周切れ刃９の曲率半径が、工具直径（切れ刃の回転軌跡の最大径）に等しくされている。従って本実施形態では、従来のボールエンドミルに比べて、ピックフィードを約２倍近い値に設定することができる。
【００６３】
ここで、図１１（ａ）、（ｂ）を参照して、本実施形態と従来例のピックフィード（ピッチ）の違いについて説明する。図１１（ａ）は、本実施形態の切削インサート５（刃先交換式回転切削工具６）で切削した被削材Ｗの加工面（加工痕）の断面を表しており、図１１（ｂ）は、従来の切削工具で切削した被削材Ｗの加工面の断面を表している。図中において、符号Ｐはピックフィードのピッチであり、符号ＣＨはカスプハイトである。図１１（ａ）、（ｂ）に示されるように、カスプハイトＣＨを互いに同一に設定した場合には、図１１（ａ）の本実施形態の方が、ピックフィードのピッチＰを大きくすることができる。
【００６４】
このように本実施形態によれば、カスプハイトＣＨを小さく抑えつつ、ピックフィード（ピッチＰ）を大きく設定することができる。これにより、加工面に加工痕として付与される凹凸（スカラップ）の数を減らすことができ、加工面精度を高めることができる。また、ピックフィードを大きくした分、ツールパス長さ（総加工長さ）を削減することができ、加工時間を短縮することが可能になる。
【００６５】
本実施形態の切削インサート５を装着した刃先交換式回転切削工具６と、従来例のボールエンドミルとを用いて、実際に被削材（Ｓ５０Ｃ）の切削試験を行ってみたところ、工具直径、切削速度、送り量及びカスプハイト（スカラップハイト）を互いに同一に設定した場合、本実施形態は従来例に比べて、加工時間を約３０％も削減できることが確認された。また、加工面の算術平均粗さＲａ及び十点平均粗さＲｚは、両方ともに、本実施形態が従来例よりも小さい値となり、加工面精度に優れていることがわかった。
【００６６】
また、底切れ刃１１と外周切れ刃９とを接続するコーナーＲ切れ刃１３の曲率半径については、例えば工具直径の１／２よりも小さく設定することができる。従って、このコーナーＲ切れ刃１３を用いて、従来のボールエンドミルでは不可能であった被削材の隅部の切削加工など、種々の切削加工への対応が可能となる。
【００６７】
以上より本実施形態によれば、被削材の加工部位や形状に係わらず、加工面の性状が均等となるように切削加工を施すことが可能である。このため、仕上げ加工や中仕上げ加工等において、加工面全体にわたって良好な加工面精度を得ることができる。
【００６８】
また本実施形態では、インサート本体１５に、該インサート本体１５を厚さ方向に貫通するネジ挿通孔１８が形成されており、このネジ挿通孔１８には、工具本体１の取付座３（インサート嵌合溝７）に切削インサート５を固定するための固定用ネジ８が挿通される。
そして本実施形態によれば、ネジ挿通孔１８の孔中心が仮想直線ＶＬ上に位置しているので、底切れ刃１１を用いた切削加工時においても、外周切れ刃９を用いた切削加工時においても、切削インサート５をネジ挿通孔１８（固定用ネジ８）回りに回転させようとする力が抑えられる。
【００６９】
具体的には、底切れ刃１１を用いた切削加工時においては、該底切れ刃１１が受ける切削抵抗の切れ刃法線方向成分が、ネジ挿通孔１８の孔中心に向かうように作用する。また、外周切れ刃９を用いた切削加工時においては、該外周切れ刃９が受ける切削抵抗の切れ刃法線方向成分が、ネジ挿通孔１８の孔中心に向かうように作用する。このため、固定用ネジ８で固定された切削インサート５を、該固定用ネジ８回りに回転させようとする力が緩和されて、取付座３に対する切削インサート５の微振動（回転微振動）が抑制される。
【００７０】
これにより、被削材の加工面の性状が安定して、高精度加工を実現することができる。
特に、被削材の３次元形状の構成部分に対して、該構成部分の外面に沿った工具軌跡でフライス加工を行う、いわゆる面沿い加工による仕上げ加工や中仕上げ加工において、高精度化に有利な効果を得ることができる。
【００７１】
また本実施形態では、底切れ刃１１のすくい面１２、外周切れ刃９のすくい面１０及びコーナーＲ切れ刃１３のすくい面１４が、同一平面上に形成されている。このため、切れ刃全長にわたって、軸方向すくい角や径方向すくい角が概ね変化しない。
しかしながら一般には、底切れ刃１１のすくい面１２、外周切れ刃９のすくい面１０及びコーナーＲ切れ刃１３のすくい面１４は、互いに異なる平面や曲面により形成されている。そして、コーナーＲ切れ刃１３と底切れ刃１１との境界点Ａ、及び、コーナーＲ切れ刃１３と外周切れ刃９との境界点Ｂは、互いに形状の異なる２つの切れ刃が接続される部分であることから、境界点Ａ、Ｂを挟んだ切れ刃の両側では、軸方向すくい角や径方向すくい角が変化する。このため、切削加工時には、境界点Ａ、Ｂ近傍の切削負荷が大きくなりやすい。
【００７２】
そこで本実施形態のように、底切れ刃１１のすくい面１２、外周切れ刃９のすくい面１０、及び、コーナーＲ切れ刃１３のすくい面１４を、同一平面上に形成することとすれば、境界点Ａ、Ｂの近傍においても、切れ刃のすくい面は１つの平面によって形成されることになる。
これにより、境界点Ａ、Ｂを挟んだ切れ刃の両側において、軸方向すくい角や径方向すくい角が大きく変化するようなことが抑えられ、境界点Ａ、Ｂ近傍に大きな切削負荷が作用することを防止できる。従って、コーナーＲ切れ刃１３と底切れ刃１１との接続部分、及び、コーナーＲ切れ刃１３と外周切れ刃９との接続部分における刃先強度が顕著に高められ、工具寿命が延長する。
【００７３】
また、底切れ刃１１のすくい面１２、外周切れ刃９のすくい面１０及びコーナーＲ切れ刃１３のすくい面１４が、同一平面上に形成されているので、切削インサート５の製造が容易である。また、これらのすくい面１０、１２、１４同士の間（接続部位）に凹部（谷部）等が形成されないことから、切削加工時における切屑の引っ掛かり等が抑制されて、切屑排出性が高められる。
【００７４】
また本実施形態では、コーナーＲ切れ刃１３のすくい面１４を正面に見て、第１の接線Ｌ１と径方向基準線ＲＲとの間に形成される角度θ１が１２〜２５°であり、第２の接線Ｌ２と径方向基準線ＲＲとの間に形成される角度θ２が（９０°−θ１）°であるので、コーナーＲ切れ刃１３近傍の切れ刃強度を確保しつつ、種々の被削材の加工部位や形状により対応しやすくなる。
【００７５】
具体的には、角度θ１が１２°以上（角度θ２が７８°以下）であるので、コーナーＲ切れ刃１３の刃長が大きくなり過ぎることを抑制できる。これにより、底切れ刃１１及び外周切れ刃９の各刃長を十分に確保して、上述した本実施形態の効果（カスプハイトＣＨを小さく抑えつつピックフィードのピッチＰを大きくできる等）をより格別なものにできる。詳しくは、角度θ１が１２°未満の場合（角度θ２が７８°を超える場合）には、コーナーＲ切れ刃１３の刃長が大きくなり過ぎる結果、底切れ刃１１、外周切れ刃９及びコーナーＲ切れ刃１３を含む切れ刃全体の形状がボールエンドミルに近いものとなり、上述した本実施形態による効果が得られにくくなるおそれがある。そして、角度θ１が１２°以上（角度θ２が７８°以下）であれば、底切れ刃１１で加工するときにコーナーＲ切れ刃１３が被削材に干渉することを抑制できる。また、外周切れ刃９で加工するときにコーナーＲ切れ刃１３が被削材に干渉することを抑制できる。従って、種々の加工形態に対応しやすくなる。なお、上述した作用効果をより顕著なものとするためには、角度θ１が１５°以上（角度θ２が７５°以下）であることが望ましい。
また、角度θ１が２５°以下（角度θ２が６５°以上）であるので、たとえ底切れ刃１１及び外周切れ刃９の各曲率半径が大きく設定された場合でも、コーナーＲ切れ刃１３が工具の先端外周側へ向けて尖って形成されるようなことが抑制されて、切れ刃部４のコーナーＲ切れ刃１３近傍の剛性を確保できる。これにより、コーナーＲ切れ刃１３近傍が大きく刃先欠損してしまうようなことが防止される。なお、この作用効果をより顕著なものとするためには、角度θ１が２２°以下（角度θ２が６８°以上）であることが望ましい。
【００７６】
また本実施形態では、コーナーＲ切れ刃１３の曲率半径が、底切れ刃１１の曲率半径及び外周切れ刃９の曲率半径に対して、３３％以下と十分に小さく設定されているため、このコーナーＲ切れ刃１３を用いることにより、被削材の隅部の切削加工や倣い加工など種々の切削加工に容易に対応しやすい。また、コーナーＲ切れ刃１３の曲率半径が小さく設定されているため、底切れ刃１１及び外周切れ刃９の各刃長を大きく確保することができる。
【００７７】
ここで、図１２（ａ）〜（ｃ）は、本実施形態の切削インサート５の変形例を表している。この変形例では、図１２（ｂ）に示されるように、外周切れ刃９のねじれ角が正の値を有しており、この外周切れ刃９とコーナーＲ切れ刃１３との境界点ＢにおけるコーナーＲ切れ刃１３の軸方向すくい角も、正の値を有している。また、底切れ刃１１とコーナーＲ切れ刃１３との境界点ＡにおけるコーナーＲ切れ刃１３の軸方向すくい角も、正の値を有している。つまり、外周切れ刃９のねじれ角、コーナーＲ切れ刃１３における外周切れ刃９近傍の軸方向すくい角、及び、コーナーＲ切れ刃１３における底切れ刃１１近傍の軸方向すくい角が、すべてポジティブ角である。
【００７８】
従って、この変形例によれば、切削加工時に生じた切屑が効率よく工具先端から基端側へと送られて、切屑排出性がよい。また、切屑排出性が良好に維持されることから、切削速度を高めることができ、加工能率が向上する。
また図示の例では、切れ刃の刃長全域にわたってすくい面が１つの平面により形成されていることから、外周切れ刃９のねじれ角、境界点ＢにおけるコーナーＲ切れ刃１３の軸方向すくい角、境界点ＡにおけるコーナーＲ切れ刃１３の軸方向すくい角、及び、底切れ刃１１の軸方向すくい角が、すべて同一の角度βとされている。このため、上述のように切屑排出性が高められる。
【００７９】
なお、本発明は前述の実施形態に限定されるものではなく、本発明の趣旨を逸脱しない範囲において種々の変更を加えることが可能である。
【００８０】
例えば、前述の実施形態では、切削インサート５にネジ挿通孔１８が形成され、該ネジ挿通孔１８の孔中心が、仮想直線ＶＬ上に位置しているとしたが、これに限定されるものではない。すなわち、ネジ挿通孔１８の孔中心は、仮想直線ＶＬ上に配置されていなくてもよい。ただし、ネジ挿通孔１８の孔中心が、仮想直線ＶＬ上に配置されていることにより、前述の実施形態で説明した優れた作用効果が得られることから、好ましい。
また、ネジ挿通孔１８が形成されていない切削インサート５であってもよく、この場合、切削インサート５は、工具本体１の取付座３にクランプ機構等により着脱可能に装着される。
【００８１】
また、前述の実施形態では、底切れ刃１１のすくい面１２、外周切れ刃９のすくい面１０及びコーナーＲ切れ刃１３のすくい面１４が、同一平面上に形成されているとしたが、これに限定されるものではなく、これらのすくい面１０、１２、１４が、同一曲面（凸曲面、凹曲面）上に形成されていてもよい。或いは、これらのすくい面１０、１２、１４が、互いに異なる平面や曲面により形成されていてもよい。
【００８２】
また、前述の実施形態では、角度θ１が１２〜２５°であり、角度θ２が（９０°−θ１）°であることとしたが、角度θ１、θ２の数値範囲は上述したものに限定されない。
【００８３】
また、前述の実施形態では、コーナーＲ切れ刃１３の曲率半径が、底切れ刃１１の曲率半径及び外周切れ刃９の曲率半径に対して、３３％以下であるとしたが、これに限定されるものではない。ただし、コーナーＲ切れ刃１３の曲率半径は、底切れ刃１１の曲率半径及び外周切れ刃９の曲率半径よりも、小さく設定される。
【００８４】
なお、前述の実施形態において、切削インサート５の基体（インサート本体１５）の材質は、炭化タングステン（ＷＣ）とコバルト（Ｃｏ）を含む超硬合金の他に、例えば、サーメット、高速度鋼、炭化チタン、炭化珪素、窒化珪素、窒化アルミニウム、酸化アルミニウム、及びこれらの混合体からなるセラミックス、立方晶窒化硼素焼結体、ダイヤモンド焼結体、多結晶ダイヤモンドあるいは立方晶窒化硼素からなる硬質相と、セラミックスや鉄族金属などの結合相とを超高圧下で焼成する超高圧焼成体を用いることも可能である。
また、工具本体１は、例えば、ＳＫＤ６１等の合金工具鋼で製造する場合の他、ＳＫＤ６１等の合金工具鋼と超硬合金とを接合し形成したものを用いることも可能である。
【００８５】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【産業上の利用可能性】
【００８６】
本発明の切削インサート及び刃先交換式回転切削工具は、被削材の加工部位や形状に係わらず、加工面の性状が均等となるように切削加工を施すことが可能である。また、仕上げ加工や中仕上げ加工等において、加工面全体にわたって良好な加工面精度を得ることができる。従って、産業上の利用可能性を有する。
【符号の説明】
【００８７】
１  工具本体
２  先端部
３  取付座
４  切れ刃部
５  切削インサート
６  刃先交換式回転切削工具
９  外周切れ刃
１０  外周切れ刃のすくい面
１１  底切れ刃
１２  底切れ刃のすくい面
１３  コーナーＲ切れ刃
１４  コーナーＲ切れ刃のすくい面
１５  インサート本体
１８  ネジ挿通孔
Ａ  境界点
Ｂ  境界点
Ｃ  中心軸
ＣＲ  中心軸方向基準線
Ｄ、Ｅ、Ｆ、Ｇ、Ｈ  交点
Ｌ１  第１の接線
Ｌ２  第２の接線
Ｏ  円弧中心点
ＲＲ  径方向基準線
Ｔ１  第１の直角三角形
Ｔ２  第２の直角三角形
ＶＬ  仮想直線
α  角度
β  角度（ねじれ角、軸方向すくい角）
θ１  角度
θ２  角度
【図１】
0006604437.tif 000002
【図２】
0006604437.tif 000003
【図３】
0006604437.tif 000004
【図４】
0006604437.tif 000005
【図５】
0006604437.tif 000006
【図６】
0006604437.tif 000007
【図７】
0006604437.tif 000008
【図８】
0006604437.tif 000009
【図９】
0006604437.tif 000010
【図１０】
0006604437.tif 000011
【図１１】
0006604437.tif 000012
【図１２】
0006604437.tif 000013